(57)【要約】【課題】  伝統的な箏の音域や音響等を維持するよう箏本体の長さを所定の長さに保ちながらも、持運び等を容易に行える箏を提供する。【解決手段】  竜頭１０から竜尾１１に至る箏本体１の胴を複数に分割させて箏本体１を互いに突き合わせる複数の分割胴１ａ，１ｂで形成すると共に、箏本体１の裏板側には、各分割胴１ａ，１ｂの突合わせ部１ｃを介した両側に亘る掛止め乃至は掛外し可能な連結具４を備え、連結具４の掛止めに加え、竜甲側に張る絃の張力により、各分割胴１ａ，１ｂの突合わせ部１ｃを密接させて箏本体１を所定の長さに保持可能に構成した。【選択図】    図１ｃ
2013156497.tif 000002
【特許請求の範囲】
【請求項１】
所定の長さを有する伝統的な箏であって、竜頭から竜尾に至る箏本体の胴を複数に分割させて箏本体を互いに突き合わせる複数の分割胴で形成すると共に、箏本体の裏板側には、各分割胴の突合わせ部を介した両側に亘る掛止め乃至は掛外し可能な連結具を備え、連結具の掛止めに加え、竜甲側に張る絃の張力により、各分割胴の突合わせ部を密接させて箏本体を所定の長さに保持可能に構成したことを特徴とする箏。
【請求項２】
連結具の掛止め状態によっては裏板側より竜甲側に広がる隙間を分割胴の突合わせ部に保ち、絃の張力により、竜甲側の突合わせ部を含む各胴全体の突合わせ部を緊密に密接させて箏本体を所定の長さに保持可能に構成したことを特徴とする請求項１に記載の箏。
【請求項３】
箏本体を形成する板材よりも硬質の補強材を各分割胴の突合わせ部に貼り付けたことを特徴とする請求項１又は２に記載の箏。
【請求項４】
各分割胴を互いに位置合せするダボ突起とダボ穴によるダボを突合わせ部の左右に夫々設けたことを特徴とする請求項１〜３のいずれかに記載の箏。
【発明の詳細な説明】
【技術分野】
【０００１】
本発明は、伝統的な竜頭から竜尾に至る箏本体の長さを有する箏に関するものである。
【背景技術】
【０００２】
伝統的な箏の、竜頭から竜尾に至る箏本体の長さは、標準的には１８２ｃｍ程度である。この伝統的な箏は、箏本体の長さが長いことにより、持運びに不便であり、また、飛行機等における荷物置き場や運搬チャージにも制約を受ける場合がある。
【０００３】
従来、箏本体の長さが長いことによる不具合を解消するため、竜頭から竜尾に至る箏本体の長さを短く形成すると共に、絃を工夫し、箏としての音域等を保つことが提案されている（特許文献１，２参照）。
【特許文献１】実開平１−９２６９６
【特許文献２】実用新案登録第３０４４９８５号
【発明の開示】
【発明が解決しようとする課題】
【０００４】
上述した箏本体の長さが短い箏では、絃を工夫したとしても、伝統的な箏本来の音域や音響等を保つことが難しい。
【０００５】
本発明は、伝統的な箏の音域や音響等を維持するよう箏本体の長さを所定の長さに保ちながらも、持運び等を容易に行える箏を提供することを目的とする。
【課題を解決するための手段】
【０００６】
本願の請求項１に係る発明は、竜頭から竜尾に至る箏本体の胴を複数に分割させて箏本体を互いに突き合わせる複数の分割胴で形成すると共に、箏本体の裏板側には、各分割胴の突合わせ部を介した両側に亘る掛止め乃至は掛外し可能な連結具を備え、連結具の掛止めに加え、竜甲側に張る絃の張力により、各分割胴の突合わせ部を密接させて箏本体を所定の長さに保持可能に構成したことを特徴とする。
【０００７】
本願の請求項２に係る発明は、連結具の掛止め状態によっては裏板側より竜甲側に広がる隙間を分割胴の突合わせ部に保ち、絃の張力により、竜甲側の突合わせ部を含む各胴全体の突合わせ部を緊密に密接させて箏本体を所定の長さに保持可能に構成したことを特徴とする。
【０００８】
本願の請求項３に係る発明は、箏本体を形成する板材よりも硬質の補強材を各分割胴の突合わせ部に貼り付けたことを特徴とする。
【０００９】
本願の請求項４に係る発明は、各分割胴を互いに位置合せするダボ突起とダボ穴によるダボを突合わせ部の左右に夫々設けたことを特徴とする。
【００１０】
本発明の課題解決手段によっては、竜頭から竜尾に至る箏本体の胴を複数に分割させて箏本体を互いに突き合わせる複数の分割胴で形成すると共に、箏本体の裏板側には、各分割胴の突合わせ部を介して両側に亘る掛止め乃至は掛外し可能な連結具を備えることにより、持運び時には箏本体を連結具の掛外しにより個々の分割胴に分けて短くできる。このため、分割胴をひとまとめにすることから容易に持ち運べ、その荷物置き場としても制約されることがない。
【００１１】
それと共に、連結金具の掛止めに加え、竜甲側に張る絃の張力により、各分割胴の突合わせ端面を密接させて箏本体を所定の長さに保持することから、伝統的な箏の音域や音響等を維持できる。殊に、連結具の掛止め状態によっては裏板側より竜甲側に広がる隙間を分割胴の突合わせ端面間に保ち、絃の張力により、竜甲側の突合わせ端面を含む各胴全体の突合わせ端面を緊密に密接させて箏本体を所定の長さに保持することにより、伝統的な箏の音域や音響等を確実に維持できる。
【００１２】
また、箏本体を桐等の軟質な木材で形成しても、箏本体を形成する板材よりも硬質な紅木等の補強材を各分割胴の突合わせ端面に貼り付けることにより、度重ねて個々の分割胴に分け、各分割胴の突合わせ端面を密接させても、各分割胴の突合わせ端面からささくれ等の摩耗が生じるのを防げる。
【００１３】
更には、ダボのダボ突起をダボ穴に嵌め込むことにより、各分割胴を互いに容易に位置合せでき、連結具の掛止めも容易に行える。
【発明の効果】
【００１４】
本発明に係る箏では、上述したように箏本体を連結具の掛外しにより個々の分割胴に分けて短くできるため、分割胴をひとまとめにすることから容易に持ち運べ、その荷物置き場としても制約されることがなく、各分割胴の突合わせ端面を密接させて箏本体を所定の長さに保持することにより、伝統的な箏の音域や音響等を維持できる。
【発明を実施するための最良の形態】
【００１５】
以下、本発明の実施の形態を図１〜図４に基づいて説明する。
【００１６】
図示実施の形態に係る箏は、図１ａ〜図１ｃで示すように伝統的な構成，形態を備えて楽箏用に構成されている。箏本体１は、竜頭１０から竜尾１１に亘る胴で概ね１７９ｃｍ〜１９０ｃｍ程度の長さを有し、竜頭１０の横幅で概ね２５ｃｍ程度、竜尾１１の横幅で概ね２３ｃｍ程度に形成されている。また、箏本体１は表板である竜甲１２と、裏板１３と、端板である竜唇（図示せず）とから中空胴として形成されている。
【００１７】
竜甲１２には、図１ａ，図１ｃで示すように竜角１４が竜頭寄りに、雲角１５が竜尾寄りに配置させて各々横長な突起状に設けられている。竜頭寄りには、ねじ込み，ねじ戻し可能な絃巻きピン２が絃の数に応じて複数本植設されている。竜尾寄りには、絃の一端を挿通固定する竜眼３が絃の数に応じて複数個開孔されている。
【００１８】
絃巻きピン２と竜眼３との間には、標準的な１３本の絃（図示せず）が竜角１４，雲角１５の上に配線させて各々張設される。各絃には、竜甲１２の板上に立て付けて絃との間に個々に挟み込む調音用の箏柱（図示せず）が備え付けられている。
【００１９】
裏板１３には、図１ｂで示すように音穴１６ａ，１６ｂが箏本体１の両端寄りに隔てて設けられている。竜頭寄りには、図１ｂ、図１ｃで示すように左右対の猫足１７ａ，１７ｂが裏板１３の両端寄りに必要に応じて着脱可能に備えられている。竜尾寄りには、裏板１３の縁三辺に沿うむかで足１８が設けられている。
【００２０】
上述した伝統的な箏の構成，形態を備えた上で、竜頭１０から竜尾１１に至る箏本体１の胴を二つに分割し、箏本体１は二つの分割胴１ａ，１ｂで形成されている。箏本体１の裏板１３には、掛止め乃至は掛外し可能な連結具４が各分割胴１ａ，１ｂの突合わせ部１ｃより両側に亘るよう取り付けられている。
【００２１】
各分割胴１ａ，１ｂの突合わせ部１ｃは、箏本体１を形成する桐等の板材よりも硬質な紅木等の補強材１９ａ，１９ｂを各分割胴１ａ，１ｂの突合わせ端面に貼ることにより補強されている。その補強材１９ａ，１９ｂとしては、２ｃｍ程度の板厚を有するものを貼り付ければよい。
【００２２】
連結具４は、箏本体１の幅方向左右に分けて二つ備えられている。その連結具４としては、図２ａ，図２ｂで示すような受け金部４ａと掛け金部４ｂでなり、掛け金部４ｂを受け金部４ａより着脱可能なものが備え付けられている。その連結具４は、箏本体１の色と近似した色に着色されたものを用いると、連結具４が箏全体として目立たないところから好ましい。
【００２３】
受け金部４ａは、取付け板４０と、取付け板４０の先端縁より横向きＪ字状に折れ曲がる掛止めフック４１を設けて構成されている。掛け金部４ｂは、取付け板４２と、受け金部４ａとの相対寄りで取付け板４２の板面より立ち上がる支持台４３と、略コ字状の掛け環４４を有する操作片４５を備えて構成されている。操作片４５は、取付け板４２より跳ね上げ乃至は押え込み可能に枢軸４６で支持台４３に取り付けられている。
【００２４】
その連結具４では、枢軸４６を支点に、操作片４５を取付け板４２より跳ね上げれば、掛け環４４を掛止めフック４１より掛け外せる。また、掛止めフック４１より外れた掛け環４４を掛止めフック４１と相対させて位置し、操作片４５を取付け板４２に押え込めば、掛け環４４を掛止めフック４１に掛け止められる。これにより、掛け金部４ｂを受け金部４ａより取り外すことから、箏本体１を個々の分割胴１ａ，１ｂに分けられる。
【００２５】
各分割胴１ａ，１ｂを互いに位置合せするに、図３ａ，図３ｂで示すようにダボ突起５ａ，ダボ穴５ｂによるダボが突合わせ部１ｃの左右に夫々設けられている。このダボ突起５ａとしては、黒檀等の硬質な材質で形成し、３ｃｍ程度の突出長さを有するものを備えるようにできる。
【００２６】
ダボ突起５ａをダボ穴５ｂに嵌め込み、連結具４を掛け止めた状態では、図４ａで示すように裏板側より竜甲側に広がる隙間Ｇを分割胴１ａ，１ｂの突合わせ部間に保てるよう、分割胴１ａ，１ｂは互いに組み合わされている。その隙間Ｇは、図４ｂで示すように箏柱６を挟み込んだ絃７の張力により、竜甲側の突合わせ端面を含む各胴全体の突合わせ部１ｃを緊密に密接させられる。
【００２７】
上述した構成中、受け金部４ａと掛け金部４ｂの取付け板４０，４２を裏板１３にネジ止め固定する都合上、裏板１３は突合わせ部１ｃの付近で胴内側より貼り付ける板厚５ｍｍ程度の当て板２０（図３ｂ参照）で補強するとよい。また、箏の持運び時等にダボ突起５ａを損傷するのを防ぐため、分割胴１ａ，１ｂのうち、ダボ突起５ａを設ける側は、ダボ突起５ａの突出寸法を含めた長さが他側と同じ長さになるよう相対的に短い長さに形成するとよい。
【００２８】
このように構成する箏は、上述したように箏本体１を連結具４の掛外しにより短い長さの分割胴１ａ，１ｂとして個々に分けられる。分割胴１ａ，１ｂは、互いに裏板側で相対させて一つにまとめ、箏袋に収めて持ち運ぶようにできる。その分割胴１ａ，１ｂは長さの短いものであるから、容易に持ち運べ、荷物置き場にも制約を受けることがない。
【００２９】
使用時には、ダボ突起５ａをダボ穴５ｂに嵌め込めば、分割胴１ａ，１ｂを容易に位置合わせできる。また、掛け金部４ｂを受け金部４ａに掛け止めれば、分割胴１ａ，１ｂを容易に一体にできる。次に、絃７を竜甲側に張り、箏柱６を竜甲の板上に立て付けて絃との間に個々に挟み込むことにより、調音すればよい。
【００３０】
連結具４の掛止め状態では、裏板側より竜甲側に広がる隙間Ｇを分割胴１ａ，１ｂの突合わせ部１ｃに保たれているが、箏柱６を挟み込んだ絃７の張力により、竜甲側の突合わせ端面を含む各胴全体の突合わせ部１ｃを緊密に密接させることから、所定の長さを有する伝統的な箏として組み立てられる。これにより、伝統的な箏の音域や音響等を維持できる。
【００３１】
上述した実施の形態では、箏本体１を二つの分割胴１ａ，１ｂに分ける場合で説明した。これに対し、三つ等の複数に分けることも考えられるが、二つの分割胴１ａ，１ｂが最良の形態である。
【００３２】
上述した実施の形態では、柏葉のような装飾部を設けず、竜角１４と雲角１５の間が長く設定されている。また、ピンによる絃巻き仕様でもあるため、低音箏としてもできる。
【図面の簡単な説明】
【００３３】
【図１ａ】本発明に係る箏を竜甲側より示す平面図である。
【図１ｂ】図１ａの箏を裏板側より示す底面図である。
【図１ｃ】図１ａの箏を示す側面図である。
【図２ａ】分割胴の連結具を示す平面図である。
【図２ｂ】図２ａの連結具を示す側面図である。
【図３ａ】ダボ突起を設ける側の分割胴を部分的に示す平面図である。
【図３ｂ】ダボ穴を設ける側の分割胴を示す端面図である。
【図４ａ】連結具で一体化した分割胴を部分的に示す側面図である。
【図４ｂ】絃を張った分割胴を部分的に示す側面図である。
【符号の説明】
【００３４】
１              箏本体
１ａ，１ｂ      分割胴
１ｃ            突合わせ部
１０            竜頭
１１            竜尾
１２            竜甲
１３            裏板
１４            竜角
１５            雲角
１９ａ，１９ｂ  補強板
２              絃巻ピン
３              竜眼
４              連結具
５ａ            ダボ突起
５ｂ            ダボ穴
６              絃
７              箏柱
Ｇ              隙間
【図１ａ】
2013156497.tif 000003
【図１ｂ】
2013156497.tif 000004
【図１ｃ】
2013156497.tif 000005
【図２ａ】
2013156497.tif 000006
【図２ｂ】
2013156497.tif 000007
【図３ａ】
2013156497.tif 000008
【図３ｂ】
2013156497.tif 000009
【図４ａ】
2013156497.tif 000010
【図４ｂ】
2013156497.tif 000011